(57)【特許請求の範囲】
【請求項１】
一戸建て住宅の玄関口に設けられるエアーシャワー装置であって、
空気を圧縮して溜め込むタンクを備えたエアーコンプレッサーと、
玄関口の天井に設置され、複数のノズル孔が幅方向に並び、圧縮空気を広角に噴射するエアーノズルと、
玄関口の天井に設置され、前記エアーコンプレッサーの圧縮空気を前記エアーノズルに供給するか遮断するかの制御を行なう電磁弁と、
玄関口の天井または側壁に設置される人感センサと、
前記人感センサがオンになると、前記電磁弁を開いて圧縮空気を前記エアーノズルから噴射させ、所定時間が経過すると、前記電磁弁を閉じる制御部と、
が備えられ、
前記エアーノズルは、両側が支持金具に取り付けられ、傾斜角度が調整可能であることを特徴とするエアーシャワー装置。
【請求項２】
玄関口の天井には、前記エアーノズルの噴射の勢いで開口し、噴射が止まればバネの付勢力で閉じる蓋が設けられることを特徴とする請求項１に記載のエアーシャワー装置。
【発明の詳細な説明】
【技術分野】
【０００１】
本発明は、エアーシャワー装置に係り、より詳しくは、一戸建て住宅の玄関口において衣服に付着した埃や塵、傘やレインコートに付着した水滴を除去できるエアーシャワー装置に関する。
【背景技術】
【０００２】
特許文献１には、農業用ビニールハウスの入口の建屋内上部に、ファンとモーターと風洞からなるエアーシャワー装置が取り付けられ、帯状の風を壁面内側方向と屋外方向に空気を噴射する防虫、防塵用のエアーシャワー装置が示される。これによれば、クリーンルームのような大型の設備は必要なく、風胴の上端の大きな吸込口からファンで空気を吸込み、風胴を介して吹出口より噴射するので、十分な風量と風力が確保できるとしている。
【０００３】
特許文献２には、花粉の建物内への侵入を防止することができるインテリジェントハウスが提案されている。玄関にはクリーンルームが設置され、クリーンルーム内に設けられた花粉センサによって測定された花粉量に基づいて、玄関のドアのロックを解除するドアロック制御機能や、地域の花粉情報に応じてエアーシャワー装置の運転時間を設定する制御機能が備えられる。
【０００４】
一戸建て住宅の玄関口に、エアーシャワー装置を取り付けてほしいとの要望が多い。これによれば、衣服に付着した埃や塵それに水滴を除去してから家に入ることができる。そのため、家の中に埃、塵を持ち込まないようにでき、また、雨の日は、玄関内の傘立てに、水滴の付いた傘を入れなくて済む。しかしながら、玄関の天井である庇（ひさし）の部分にファンやモーター、風洞を取り付けることは、十分なスペースがなく庇が複雑なものとなり、また、一戸建て住宅の玄関にクリーンルームを設置することは、工事が大がかりになる。
【先行技術文献】
【特許文献】
【０００５】
【特許文献１】特開２０１０−２４２９９３号公報
【特許文献２】特開２０１１−８９２９９号公報
【発明の概要】
【発明が解決しようとする課題】
【０００６】
本発明の目的は、施工か容易で、玄関口で衣服に付着した埃や塵、傘やレインコートに付着した水滴を除去できるエアーシャワー装置を提供することにある。
【課題を解決するための手段】
【０００７】
本発明によるエアーシャワー装置は、一戸建て住宅の玄関口に設けられるエアーシャワー装置であって、空気を圧縮して溜め込むタンクを備えたエアーコンプレッサーと、玄関口の天井に設置され、複数のノズル孔が幅方向に並び、圧縮空気を広角に噴射するエアーノズルと、玄関口の天井に設置され、前記エアーコンプレッサーの圧縮空気を前記エアーノズルに供給するか遮断するかの制御を行なう電磁弁と、玄関口の天井または側壁に設置される人感センサと、前記人感センサがオンになると、前記電磁弁を開いて圧縮空気を前記エアーノズルから噴射させ、所定時間が経過すると、前記電磁弁を閉じる制御部と、が備えられ、前記エアーノズルは、両側が支持金具に取り付けられ、傾斜角度が調整可能であることを特徴とする。
【０００９】
玄関口の天井には、前記エアーノズルの噴射の勢いで開口し、噴射が止まればバネの付勢力で閉じる蓋が設けられることを特徴とする。
【発明の効果】
【００１０】
本発明のエアーシャワー装置によれば、（１）空気を圧縮して溜め込むタンクを備えたエアーコンプレッサーを設けたので、ターボファンや、ブロアよりも強力な空気を噴射できる。風量は、一般にターボファンが２０〜４０ｍ／ｓであり、ブロアが８０〜１２０ｍ／ｓであり、エアーコンプレッサーが２００〜３００ｍ／ｓであるから、エアーコンプレッサーは、衣服に付着した埃や塵、傘やレインコートに付着した水滴を吹き飛ばすに都合がよい。（２）エアーノズルを玄関口の天井に設置したので、上から下に向かって空気を噴射できる。また、周囲が開放されているので、吹き飛ばした埃や塵を外部に飛散させることができる。（３）玄関口の天井または側壁に人感センサを設けたので、直接タッチしなくてもエアーシャワー装置を作動させることができる。（４）人感センサがオンになると、電磁弁を開いて圧縮空気をエアーノズルから噴出させ、所定時間が経過すると、電磁弁を閉じる制御部を設けたので、エアーシャワー装置を停止させる面倒さがない。（５）エアーノズルは、ノズル孔が幅方向に複数配置され、広角なものを使用したので、噴射される圧縮空気に幅と厚みを持たせることができる。ノズル孔が幅方向に複数配列されるので、圧縮空気を衣服に広く当てることができる。
【００１１】
エアーノズルは、両側を支持金具に取り付け、傾斜角度を調整可能としたので、圧縮空気の噴射方向を真下方向にすることや斜め下方向にすることができる。
【００１２】
玄関口の天井に、エアーノズルの噴射の勢いで開口し、噴射が止まればバネの付勢力で閉じる蓋を設けたので、内部に虫などが入り込むことを防止できる。
【図面の簡単な説明】
【００１３】
【図１】本発明によるエアーシャワー装置を玄関口に取り付けた一戸建て住宅の側面図である。
【図２】本発明によるエアーシャワー装置を玄関口に取り付けた一戸建て住宅の正面図である。
【図３】図１のエアーノズルの詳細図で、（Ａ）は正面図、（Ｂ）は右側面図、（Ｃ）は底面図である。
【図４】エアーノズルの取り付け状態を示す説明図である。
【図５】図１の玄関口の天井に設置される人感センサの詳細図で、（Ａ）は正面図、（Ｂ）は底面図である。
【図６】図１の玄関口の壁に設置される人感センサの詳細図で、（Ａ）は正面図、（Ｂ）は左側面図である。
【図７】図１の電磁弁の詳細図で、（Ａ）は平面図、（Ｂ）は正面図である。
【図８】図１のエアーコンプレッサーの詳細図で、（Ａ）は正面図、（Ｂ）は左側面図である。
【図９】制御部の動作を示すフローチャートである。
【発明を実施するための形態】
【００１４】
以下、図面を参照して、本発明によるエアーシャワー装置を詳しく説明する。
【実施例】
【００１５】
図１は、本発明によるエアーシャワー装置５０を玄関口１０に取り付けた一戸建て住宅１００の側面図である。エアーシャワー装置５０は、一戸建て住宅１００の玄関口１０に設けられる、その構成は、玄関口１０から離れた目立たない場所に設置されるエアーコンプレッサー５と、玄関口１０の天井に設置され、複数のノズル孔を有するエアーノズル１と、エアーコンプレッサー５の圧縮空気をエアーノズル１に送付するか遮断するかの制御を行なう電磁弁４と、玄関口１０の天井に設置される人感センサ２と、人感センサ２がオンになると、電磁弁４を開いて、圧縮空気をエアーノズル１から噴射させると共に、所定時間が経過すると、電磁弁４を閉じる制御部６と、が備えられる。人感センサは、玄関口１０の天井ではなく、玄関口１０の側壁に設置されてもよい。これは人感センサ３で示す。
【００１６】
図２は、本発明によるエアーシャワー装置５０を玄関口１０に取り付けた一戸建て住宅１００の正面図である。エアーノズル１、人感センサ２、電磁弁４は、玄関口１０の天井、すなわち玄関の庇（ひさし）の部分に取り付けられる。エアーノズル１は、圧縮空気を上から下に向かって噴射する。
【００１７】
図３は、図１のエアーノズル１の詳細図で、（Ａ）は正面図、（Ｂ）は右側面図、（Ｃ）は底面図である。エアーノズル１は、ノズル孔１ａが横に２列、幅方向に９個並んだものを使用した。また、噴射範囲が広角なものを使用した。これにより噴射される圧縮空気に、幅と厚みを持たせることができる。複数個のエアーノズル１を設置し、肩幅程度の幅を持たせることができる。
【００１８】
図４は、エアーノズルの取り付け状態を示す説明図である。エアーノズル１は、両側を支持金具７で傾斜角度が調整可能に支持した。両側のネジにより、傾斜角度を変更できる。傾斜角度は、制御部６によるモーター制御としてもよい。図４に示すように、玄関口の天井には、エアーノズル１の噴射口を覆うように蓋８が設けられる。蓋８は、圧縮空気の勢いで開口し、噴射が停止すれば、根元に設けたバネ（図示せず）の付勢力により自動的に閉じる。
【００１９】
図５は、図１の玄関口１０の天井に設置される人感センサ２の詳細図で、（Ａ）は正面図、（Ｂ）は底面図である。人感センサ２のセンサ部２ａをアクリル製の筒２ｂで覆い、感知エリアを狭め、手をかざした時のみ反応するようにした。
【００２０】
図６は、図１の玄関口１０の壁に設置される人感センサ３の詳細図で、（Ａ）は正面図、（Ｂ）は左側面図である。センサ部３ａは、近接センサで、手を近くにかざした場合に反応する。人感センサ２と人感センサ３のいずれを採用するかは、工事の際にあらかじめ選択される。
【００２１】
図７は、図１の電磁弁４の詳細図で、（Ａ）は平面図、（Ｂ）は正面図である。入口４ａから入った圧縮空気は、出口４ｂ、４ｃから出る。出口４ｂ、４ｃが２つあるので、２つのエアーノズル１に接続できる。電磁弁４が開いている場合は、入口４ａと出口４ｂ、４ｃが連通して、出口４ｂ、４ｃに圧縮空気が供給され、電磁弁４が閉じている場合は、入口４ａと出口４ｂ、４ｃの間が遮断され、圧縮空気の供給が停止される。
【００２２】
図８は、図１のエアーコンプレッサー５の詳細図で、（Ａ）は正面図、（Ｂ）は左側面図である。エアーコンプレッサー５は、ＡＣ１００Ｖで駆動され、電源投入スイッチをオンにして、２４時間運転される。タンク５ａの容量は、例えば２５〜３０リットルである。タンク５ａは、所定の圧力（例えば０．８ＭＰ）になると圧縮を停止し、タンク５ａの圧力が下がると自動的に圧縮が再開される。吐出量は、一例であるが、１２０リットル／分である。また、ノブを回すことにより、エアーコンプレッサー５の吐出圧力を強くも弱くも設定できる。
【００２３】
図９は、制御部６の動作を示すフローチャートである。段階１は、人感センサ２又は３がオンかを監視する。段階２は、人感センサがオンであることを検出すると電磁弁４を開く。これにより、エアーコンプレッサー５の圧縮空気が玄関の天井に設けられたエアーノズル１から噴射される。段階３は、オフディレータイマーで５〜１０秒をカウントする。段階４は、オフディレータイマーがタイムアウトになると、電磁弁４を閉じる。これにより、エアーノズル１からの圧縮空気の噴射が停止される。オフディレータイマーの値は制御盤から設定できる。例えば１０秒に設定すると、１回の空気の噴射量は、この実施例では約２０リットルとなる。
【産業上の利用可能性】
【００２４】
本発明によるエアーシャワー装置は、一戸建て住宅の玄関口に設けられ、衣服に付着した埃や塵、それに傘やレインコートに付着した水滴を除去できる装置として好適である。
【符号の説明】
【００２５】
１    エアーノズル
１ａ    ノズル孔
２    人感センサ（天井用）
２ａ    センサ部
２ｂ    筒
３    人感センサ（壁用）
３ａ    センサ部
４    電磁弁
４ａ    入口
４ｂ、４ｃ    出口
５    エアーコンプレッサー
５ａ    タンク
６    制御部
７    支持金具
８    蓋
１０    玄関口
５０    エアーシャワー装置
１００    一戸建て住宅
【要約】
【課題】施工が容易で、玄関口で衣服に付着した埃や塵、傘やレインコートに付着した水滴を除去できるエアーシャワー装置を提供する。
【解決手段】
本発明のエアーシャワー装置は、一戸建て住宅の玄関口に設けられ、空気を圧縮して溜め込むタンクを備えたエアーコンプレッサーと、玄関口の天井に設置され、複数のノズル孔が幅方向に並び、圧縮空気を広角に噴射するエアーノズルと、玄関口の天井に設置され、エアーコンプレッサーの圧縮空気をエアーノズルに供給するか遮断するかの制御を行なう電磁弁と、玄関口の天井または側壁に設置される人感センサと、人感センサがオンになると、電磁弁を開いて圧縮空気をエアーノズルから噴射させ、所定時間が経過すると、電磁弁を閉じる制御部と、が備えられる。
【選択図】図１【図１】
0005860133.tif 000002
【図２】
0005860133.tif 000003
【図３】
0005860133.tif 000004
【図４】
0005860133.tif 000005
【図５】
0005860133.tif 000006
【図６】
0005860133.tif 000007
【図７】
0005860133.tif 000008
【図８】
0005860133.tif 000009
【図９】
0005860133.tif 000010